(57)【要約】      （修正有）【課題】側方向から載置ベッドを迅速に組立て、分解可能な造影スキャン装置、載置ベッド及び載置ベッドの位置決め装置を提供する。【解決手段】載置ベッドの位置決め装置は、載置台１００及び載置ベッド２００を含む。載置台には、爪部１１０が設置される。爪部の先端部の一方側から突出フック１１３が突出して設けられる。載置ベッドは、一端に継手部２２０が設けられる管体２１０を含む。管体は、横になって水平配置される。突出フックは、継手部の一方側に係止される。載置ベッドの少なくとも他の一部は、載置台に当接する。【選択図】図２
2018102927.tif 000002
【特許請求の範囲】
【請求項１】
載置ベッドの位置決め装置であって、
載置台及び載置ベッドを含み、
前記載置台には、爪部が設置され、
前記爪部の先端部の一方側から突出フックが突出して設けられ、
前記爪部は、前記載置台に枢設され、
前記爪部には、弾性復帰部材が設けられ、
前記載置ベッドは、一端に継手部が設けられる管体を含み、
前記管体は、横になって水平配置され、
前記突出フックは、前記継手部の一方側に係止され、
前記載置ベッドの少なくとも他の一部は、前記載置台に当接することを特徴とする載置ベッドの位置決め装置。
【請求項２】
前記弾性復帰部材は、前記載置台内に固着され、前記爪部を押し付けることで、前記載置台に直立するように前記爪部を枢動させることを特徴とする請求項１に記載の載置ベッドの位置決め装置。
【請求項３】
前記継手部には、係止溝が形成され、
前記突出フックは、前記係止溝の内縁に係止されることを特徴とする請求項１に記載の載置ベッドの位置決め装置。
【請求項４】
前記継手部の一方側には、位置決め板が設けられ、
前記位置決め板は、前記載置台に水平設置され、
前記突出フックは、前記位置決め板に係止されることを特徴とする請求項３に記載の載置ベッドの位置決め装置。
【請求項５】
前記位置決め板の外側縁または凹部により、前記係止溝の内縁の一部が構成されることを特徴とする請求項４に記載の載置ベッドの位置決め装置。
【請求項６】
前記係止溝内には、レリーズキーが枢設され、
前記レリーズキーは、前記突出フックに当接し、
前記レリーズキーと前記継手部との間には、継手部内に固着される弾性復帰部材が連結されることを特徴とする請求項３に記載の載置ベッドの位置決め装置。
【請求項７】
前記レリーズキーの中段には、前記継手部の前記係止溝が枢結され、
前記突出フックが前記レリーズキーの一端に当接すると、前記レリーズキーの他端は前記継手部の表面から突出することを特徴とする請求項６に記載の載置ベッドの位置決め装置。
【請求項８】
前記レリーズキーは枢動時に前記突出フックを押し付けることで前記爪部を枢動させるとともに前記突出フックを載置ベッドから離脱させることを特徴とする請求項６に記載の載置ベッドの位置決め装置。
【請求項９】
前記載置台には、位置決めピンが立設され、
前記継手部の側面には、対応する前記位置決めピンが挿入されるための位置決め孔が設けられ、
前記位置決め孔の外端には、外部へ広がるテーパ口部が形成されることを特徴とする請求項１に記載の載置ベッドの位置決め装置。
【請求項１０】
前記載置台には、前記継手部を収容するための凹溝が前記継手部に対応して設けられ、
前記爪部の中段は、前記載置台に枢結され、
前記爪部の先端部は、前記凹溝内へ突出するように形成され、
前記爪部の根元部は、載置台内まで延びることを特徴とする請求項１に記載の載置ベッドの位置決め装置。
【請求項１１】
機台を含む造影スキャン装置であって、
前記機台には、請求項１に記載の載置ベッドの位置決め装置が設けられ、
前記機台には、スライドレールが設置され、
前記スライドレールは水平配置され、
前記載置台は、前記スライドレールに設置され、前記スライドレールに沿って移動することで前記載置ベッドを前記載置台内に移行させることを特徴とする造影スキャン装置。
【請求項１２】
前記機台は、開口部を有し、
前記開口部から突出台が外部へ延びて形成され、
前記スライドレールは、前記突出台に設置されて前記開口部内まで延び、
前記載置台には、前記継手部を収容するための凹溝が前記継手部に対応して設けられ、
前記凹溝の開口方向は、前記機台の開口部の開設方向と垂直であることを特徴とする請求項１１に記載の造影スキャン装置。
【請求項１３】
造影スキャン装置に適する載置ベッドであって、
一端に継手部が設けられる管体を含み、
前記継手部には、係止溝が形成され、
前記係止溝内には、レリーズキーが枢設され、
前記レリーズキーと前記継手部との間には、継手部内に固着される弾性復帰部材が連結されることを特徴とする載置ベッド。
【請求項１４】
前記継手部の一方側には、位置決め板が設けられ、
前記位置決め板の外側縁または凹部により、前記係止溝の内縁の一部が構成されることを特徴とする請求項１３に記載の載置ベッド。
【請求項１５】
前記位置決め板の前記外側縁または前記凹部は、前記継手部の外側に向かう傾斜面を有することを特徴とする請求項１４に記載の載置ベッド。
【発明の詳細な説明】
【技術分野】
【０００１】
本発明は、造影スキャン装置に関し、特に側方向から載置ベッドを迅速に組立て、分解可能な造影スキャン装置に関する。
【背景技術】
【０００２】
従来の造影スキャン装置（例えば、Ｘ線、ＣＴ（コンピュータ断層撮像法；ｃｏｍｐｕｔｅｄ  ｔｏｍｏｇｒａｐｈｙ）、ＭＲＩ（核磁気共鳴画像法；Ｍａｇｎｅｔｉｃ  Ｒｅｓｏｎａｎｃｅ  Ｉｍａｇｉｎｇ）またはＰＥＴ（ポジトロン断層法；Ｐｏｓｉｔｒｏｎ  Ｅｍｉｓｓｉｏｎ  Ｔｏｍｏｇｒａｐｈｙ）などの造影スキャン装置）では、位置決めをしやすいために、通常、機台に載置ベッドを軸方向に取り付けるようにしている。通常、スキャン対象が生体や切除組織であって載置ベッドに載置されるため、載置ベッドが横になって配置されるほか、造影スキャン装置における機構が水平に同軸で動作するようになる。
【発明の概要】
【発明が解決しようとする課題】
【０００３】
しかしながら、上記取り付け方法により、載置ベッドを取り付けるための大きな作業スペースを機台の周辺に確保する必要がある。造影スキャン装置における機構が主に水平に同軸で動作するため、カバープレートや操作開口部は規制されて側方向に設置されることが多い。このように、上記軸方向における組立、分解操作は装置のケースまたはカバーによって容易に阻止され、操作性がよくない。
【０００４】
以上に鑑みて、本発明の発明者は、研究と理論の使用とによって、設計が合理的であり、有効に上記の欠点を改善、解決することができる本発明を得た。
【０００５】
本発明の目的は、載置ベッドの位置決め装置により側方向から載置ベッドを迅速に組立て、分解可能な造影スキャン装置、載置ベッド及び載置ベッドの位置決め装置を提供することである。
【課題を解決するための手段】
【０００６】
上記目的を達成するために、本発明に係る載置ベッドの位置決め装置は、載置台及び載置ベッドを含む。載置台には、爪部が設置される。前記爪部の先端部の一方側から突出フックが突出して設けられる。載置ベッドは、一端に継手部が設けられる管体を含む。管体は、横になって水平配置される。突出フックは、前記継手部の一方側に係止される。前記載置ベッドの少なくとも他の一部は、前記載置台に当接する。
【０００７】
本発明に係る載置ベッドの位置決め装置では、爪部は、載置台に枢設され、爪部には、弾性復帰部材が設けられる。弾性復帰部材は、載置台内に固着され、爪部を押し付けることで、載置台に直立するように爪部を枢動させる。継手部には、係止溝が形成される。突出フックは、係止溝の内縁に係止される。継手部の一方側には、位置決め板が設けられる。位置決め板は、載置台に水平設置される。突出フックは、位置決め板に係止される。位置決め板の外側縁または凹部により、係止溝の内縁の一部が構成される。位置決め板の外側縁または凹部は、継手部の外側に向かう傾斜面を有する。係止溝内には、レリーズキーが枢設される。レリーズキーは、突出フックに当接する。レリーズキーと継手部との間には、継手部内に固着される弾性復帰部材が連結される。レリーズキーの中段には、継手部の係止溝が枢結される。突出フックがレリーズキーの一端に当接すると、レリーズキーの他端は継手部の表面から突出する。レリーズキーは枢動時に突出フックを押し付けることで爪部を枢動させるとともに突出フックを載置ベッドから離脱させる。爪部の先端部の、突出フックと同一側には傾斜面が形成される。載置台には、位置決めピンが立設される。継手部の側面には、対応する位置決めピンが挿入されるための位置決め孔が設けられる。位置決め孔の外端には、外部へ広がるテーパ口部が形成される。載置台には、継手部を収容するための凹溝が継手部に対応して設けられる。爪部の中段は、載置台に枢結される。爪部の先端部は、凹溝内へ突出するように形成される。爪部の根元部は、載置台内まで延びる。
【０００８】
また、本発明に係る造影スキャン装置は機台を含む。機台には、上記載置ベッドの位置決め装置が設けられる。
【０００９】
本発明に係る造影スキャン装置の機台には、スライドレールが設置される。スライドレールは水平配置される。載置台は、スライドレールに設置され、スライドレールに沿って移動することで載置ベッドを載置台内に移行させる。機台は、開口部を有する。開口部から突出台が外部へ延びて形成される。スライドレールは、突出台に設置されて開口部内まで延びる。載置台には、継手部を収容するための凹溝が継手部に対応して設けられる。凹溝の開口方向は、機台の開口部の開設方向と垂直である。
【００１０】
また、本発明に係る載置ベッドは、造影スキャン装置に適する。載置ベッドは、一端に継手部が設けられる管体を含む。継手部には、係止溝が形成される。係止溝内には、レリーズキーが枢設される。レリーズキーと継手部との間には、継手部内に固着される弾性復帰部材が連結される。
【００１１】
載置ベッドの継手部の一方側には、位置決め板が設けられる。位置決め板の外側縁または凹部により、係止溝の内縁の一部が構成される。位置決め板の外側縁または凹部は、継手部の外側に向かう傾斜面を有する。
【発明の効果】
【００１２】
本発明の造影スキャン装置及びその載置ベッドは、載置ベッドの位置決め装置の爪部と載置ベッドの継手部との組み合わせにより、側方向から載置ベッドを迅速に組立て、分解することができる。
【図面の簡単な説明】
【００１３】
【図１】本発明の好適な実施形態に係る造影スキャン装置を示す斜視図である。
【図２】本発明の好適な実施形態に係る造影スキャン装置の配置を示す斜視図である。
【図３】本発明の好適な実施形態に係る造影スキャン装置を示す分解斜視図である。
【図４】本発明の好適な実施形態に係る造影スキャン装置を示す分解斜視図である。
【図５】本発明の好適な実施形態に係る造影スキャン装置の使用状態を示す図である。
【図６】本発明の好適な実施形態に係る造影スキャン装置の使用状態を示す図である。
【図７】本発明の好適な実施形態に係る造影スキャン装置の使用状態を示す図である。
【図８】本発明の造影スキャン装置の弾性復帰部材の他の実施形態を示す図である。
【図９】本発明の造影スキャン装置の弾性復帰部材の別の実施形態を示す図である。
【発明を実施するための形態】
【００１４】
図１及び図２に示すように、本発明の好適な実施形態に係る造影スキャン装置は、機台１０及び載置ベッド２００を含む。
【００１５】
機台１０内には、スキャン装置（不図示）が設置されて機台１０内にスキャン領域を形成する。スキャン装置は、例えば、Ｘ線、ＣＴ（コンピュータ断層撮像法；ｃｏｍｐｕｔｅｄ  ｔｏｍｏｇｒａｐｈｙ）、ＭＲＩ（核磁気共鳴画像法；Ｍａｇｎｅｔｉｃ  Ｒｅｓｏｎａｎｃｅ  Ｉｍａｇｉｎｇ）またはＰＥＴ（ポジトロン断層法；Ｐｏｓｉｔｒｏｎ  Ｅｍｉｓｓｉｏｎ  Ｔｏｍｏｇｒａｐｈｙ）などの造影スキャン装置であってもよいが、これらに限定されない。
【００１６】
機台１０は、水平に開設される開口部１１を有する。機台１０の開口部１１の底部には、外部へ軸方向に延びる突出台２０が形成される。突出台２０には、スライドレール３０が設置される。スライドレール３０は、開口部１１の開設方向に沿って水平に配置されるとともに開口部１１内まで延びる。スライドレール３０には、載置台１００が設置される。この載置台１００及び載置ベッド２００により、載置ベッドの位置決め装置が構成される。本実施形態では、載置台１００は中空台であることが好適であり、スライドレール３０に沿って開口部１１に接近離間するように移動可能である。
【００１７】
図２及び図３に示すように、載置台１００の頂部には、開口方向が機台の開口部１１の開設方向と実質的に垂直になる凹溝１０１が設けられる。載置台１００には、少なくとも１つの爪部１１０が設置される。本実施形態では、構造や機能が同じの爪部１１０が載置台１００に立設されることが好適であるが、爪部１１０の数が限定されない。各爪部１１０の両端は、それぞれ先端部１１１及び根元部１１２である。爪部１１０の中段は、載置台１００に枢結される。爪部１１０の先端部１１１は、上向きに延びて載置台１００から突出するように立設される。また、爪部１１０の根元部１１２は、載置台１００内に延びるように形成される。各爪部１１０の先端部１１１の一方側から突出フック１１３が突出して形成される。一対の突出フック１１３は対向して配置されるとともに、凹溝１０１内に位置する。各爪部１１０の先端部１１１の、突出フック１１３と同一側には傾斜面１１４が形成される。載置台１００の頂部には、位置決めピン１２０が上向きに突出して立設される。各爪部１１０には、弾性復帰部材１３０が設けられる。本実施形態では、各弾性復帰部材１３０は載置台１００内に固着される弾性アームであることが好適であるが、これに限定されず、例えば、空気圧シリンダまたは油圧シリンダであってもよい。各弾性復帰部材１３０の一端は、載置台１００の内壁に固定的に連結される。２つの弾性復帰部材１３０は、載置台１００の内壁により連結される。各弾性復帰部材１３０の他端は、対応する爪部１１０の根元部１１２に当接する。載置台１００内には、各爪部１１０に対応して位置規制部１４０が設けられる。本実施形態では、位置規制部１４０は、各爪部１１０の根元部１１２を当て止めることで爪部１１０の枢動ストロークの初期位置を規制する。爪部１１０の根元部１１２が位置規制部１４０に当接する場合には、爪部１１０が載置台１００の頂部に立設され、各弾性復帰部材１３０が対応する爪部１１０の根元部１１２を対応する位置規制部１４０に押し付ける。
【００１８】
図２及び図４に示すように、載置ベッド２００は、管体２１０及び継手部２２０を含む。管体２１０内には、測定待ちの生体や組織が載置される。継手部２２０は、管体２１０の一端に設置される。本実施形態では、継手部２２０は丸管状であって管体２１０と同軸で連結されたりロックされたりすることで一体になることが好適である。
【００１９】
継手部２２０の側面には、少なくとも１つの係止溝２０１が開設される。本実施形態では、継手部２２０の対向する両側には、一対の係止溝２０１が一対の爪部１１０に対応して開設される。突出フック１１３は、継手部２２０の側面の係止溝２０１の内縁にそれぞれ係止されることで、載置ベッド２００を載置台１００に固定させる。継手部２２０の側面には、位置決め板２３０が別途に選択可能に設置される。本実施形態では、位置決め板２３０は矩形板であって、一対の係止溝２０１の間に配置され、対向して配置される一対の外側縁２３１を有する。位置決め板２３０の外側縁２３１のそれぞれにより、各係止溝２０１の内縁の一部が構成される。位置決め板２３０の外側縁２３１は、継手部２２０の外側に向かう傾斜面２３２を有する。他の実施形態では、位置決め板２３０は、対向して配置される一対の凹部（不図示）を有することで各係止溝２０１の内縁の一部を構成してもよく、凹部の一側縁が継手部２２０の外側に向かう傾斜面（不図示）を有してもよい。継手部２２０の側面には、対応する位置決めピン１２０が挿入されるための位置決め孔２０２が設けられる。位置決め孔２０２の外端には、外部へ広がるテーパ口部２０３が形成される。本実施形態の位置決め孔２０２の開口方向は、位置決め板２３０の法線方向と平行になる。なお、位置決め孔２０２の位置と位置決めピン１２０の位置を入れ替えてもよい。
【００２０】
各係止溝２０１内には、レリーズキー２４０が枢設される。本実施形態では、各レリーズキー２４０は長棒状であることが好適である。各レリーズキー２４０は、対応する係止溝２０１内に収容されてこの係止溝２０１を遮蔽する。各レリーズキー２４０の中段は、対応する係止溝２０１の内縁に枢結される。また、各レリーズキー２４０の一端は、位置決め板２３０の外側縁２３１の１つに隣接する。各レリーズキー２４０と継手部２２０との間には、弾性復帰部材２５０が連結される。本実施形態では、各弾性復帰部材２５０は継手部２２０内に固着される弾性アームであることが好適であるが、これに限定されず、例えば、空気圧シリンダまたは油圧シリンダであってもよい。各弾性復帰部材２５０の一端は、継手部２２０の内壁に固着される。２つの弾性復帰部材１３０は、継手部２２０の内壁により連結される。各弾性復帰部材２５０の他端は、対応するレリーズキー２４０の他端に当接する。
【００２１】
図５に示すように、本発明に係る造影スキャン装置は使用時に、載置ベッド２００を横にして載置台１００上に水平または軸方向に取り付ける必要がある。さらに、載置台１００がスライドレール３０に沿って移動することにより、載置ベッド２００を開口部１１から機台１０内の造影スキャン領域に移行させてスキャンする。載置台１００の凹溝１０１は載置ベッド２００の継手部２２０を収容する。載置ベッド２００は取り付けられる場合、その継手部２２０を位置決め板２３０に精確に接合した後に凹溝１０１に水平に収容される。また、載置ベッド２００は、載置台の位置決めピン１２０を継手部２２０の位置決め孔２０２に挿入することによって位置決めされる。位置決め孔２０２の外端のテーパ口部２０３は位置決めピン１２０を誘導して位置決め孔２０２に位置合わせやすくなる。各爪部１１０の先端部１１１の傾斜面１１４は、位置決め板２３０の、対応する外側縁２３１の傾斜面２３２に接触して互いに押し当て、これにより、爪部１１０を枢動させることで突出フック１１３が退避して外側縁２３１を横切ることができる。本実施形態では、爪部１１０及び継手部２２０にいずれも傾斜面１１４／２３２が設けられることが好適であるが、爪部１１０及び継手部のいずれか一方に傾斜面１１４／２３２が設置されるだけであれば、その他方を押し当てて爪部１１０を枢動させることができる。突出フック１１３が外側縁２３１を横切った後、爪部１１０に設置される弾性復帰部材１３０は爪部１１０を押し付けることで爪部１１０を枢動させて復帰させ、これにより、その突出フック１１３を外側縁２３１に係止させる。このように、各突出フック１１３は継手部２２０の側面の係止溝２０１の内縁に係止するようになり、その結果、載置ベッド２００を載置台１００に固定させる。本実施形態では、位置決め板２３０が載置ベッド２００の水平の位置決めに用いられ、突出フック１１３が位置決め板に当接することで載置ベッド２００を載置台１００により正確に位置決めする。なお、係止溝２０１の内縁の一部は、位置決め板２３０により載置ベッド２００をより正確に位置決めすることができるが、位置決め板２３０が係止溝２０１の内縁の形成に必要な部材であることに限定されない。継手部２２０及び位置決め板２３０には、対応する組立て位置決め構造２０４／２３４がそれぞれ設けられる。本実施形態では、組立て位置決め構造２０４／２３４は、それぞれ対応して組み立てられるピン及び孔である。継手部２２０及び位置決め板２３０を組立て、位置決めする場合には、組立て位置決め構造２０４／２０３により位置決めを実現することができる。また、各突出フック１１３は、それに係止される係止溝２０１内におけるレリーズキー２４０の、位置決め板２３０に隣接する一端に当接するため、レリーズキー２４０の他端を継手部２２０の表面から押し出して押圧に用いる。
【００２２】
本発明の好適な実施形態では、一対の同じ爪部１１０で載置ベッド２００を固定させるが、これに限定されず、単一の突出フック１１３を継手部２２０に係止するとともに、載置ベッド２００の少なくとも他の一部（例えば、継手部２２０の他の一部、他の係止溝２０１、位置決め孔２０２などの構造）を載置台１００のいずれかの一箇所（例えば、他の突出フック１１３、凹溝１０１、位置決めピン１２０などの構造）に当接させるだけであれば、載置ベッド２００を固定することができる。
【００２３】
図６及び図７に示すように、スキャンが終わって載置ベッド２００を取り外したい場合、オペレータは載置ベッド２００を把持しつつ、各レリーズキー２４０の継手部２２０の表面から突出する他端を押圧することで、各レリーズキー２４０を枢動させてその他端を各突出フック１１３に押し当てて各爪部１１０を枢動させ、その結果、各突出フック１１３が継手部２２０から抜ける。このようにすれば、載置ベッド２００を取り外すことができる。なお、載置ベッド２００を取り外す方向が開口部１１の開設方向と実質的に垂直になる。オペレータが各レリーズキーを離した後、それに連結される弾性復帰部材２５０は各レリーズキー２４０を押し付けることで、各レリーズキー２４０を枢動させて復帰させることができる。
【００２４】
図８に示すように、他の実施形態では、載置台１００上の弾性復帰部材１３０は、２つの爪部１１０の根元部１１２の間に設置されるばねであってもよい。弾性復帰部材２５０ａの両端は、各爪部１１０の根元部１１２にそれぞれ当接して２つの爪部１１０の根元部１１２を押し拡げて離間させ、これにより、各爪部１１０を枢動させて各突出フック１１３を復帰させる。図９に示すように、弾性復帰部材２５０ｂは、各爪部１１０の根元部１１２と載置台１００の内壁との間に設置されてもよい。
【００２５】
本発明に係る造影スキャン装置は、その載置ベッドの位置決め装置の爪部１１０とその載置ベッド２００の継手部２２０との組合せにより、載置ベッド２００または開口部１１の側方向に沿って載置ベッドを迅速に組立て、分解することができる。このように、載置ベッド２００の組立て・分解が容易となるほか、載置ベッド２００の組立て・分解に必要な作業スペースが開口部１１の上方の側方向となるため、機台１０は余分な占有スペースを必要としない。
【００２６】
以上、本発明の好適な実施形態を挙げて説明したが、これは本発明の実施形態の一例に過ぎない。説明した実施形態は、本発明の範囲を限定するものではないことが理解されたい。当業者であれば本発明の概念又は技術的思想を含む各種の変動や交換は、本発明の保護を求める範囲内に属するものである。
【符号の説明】
【００２７】
１０  機台
１１  開口部
２０  突出台
３０  スライドレール
１００  載置台
１１０  爪部
１１１  先端部
１１２  根元部
１１３  突出フック
１１４  傾斜面
１２０  位置決めピン
１３０  弾性復帰部材
１４０  位置規制部
２００  載置ベッド
２０１  係止溝
２０２  位置決め孔
２０３  テーパ口部
２０４  組立て位置決め構造
２１０  管体
２２０  継手部
２３０  位置決め板
２３１  外側縁
２３２  傾斜面
２３４  組立て位置決め構造
２４０  レリーズキー
２５０、２５０ａ、２５０ｂ 弾性復帰部材
【図１】
2018102927.tif 000003
【図２】
2018102927.tif 000004
【図３】
2018102927.tif 000005
【図４】
2018102927.tif 000006
【図５】
2018102927.tif 000007
【図６】
2018102927.tif 000008
【図７】
2018102927.tif 000009
【図８】
2018102927.tif 000010
【図９】
2018102927.tif 000011